(57)【要約】【課題】ドアガラス開閉時の応力に起因するずれ移動を防止するとともに、取付作業性の低下を抑制することのできるガラスランを提供する。【解決手段】チャンネル部ＤＣの内周に取着されてなるガラスラン１のコーナー部を構成する型成形部５には、基底部１４の外側面からチャンネル部ＤＣ側に突出し、チャンネル部ＤＣへの取付状態において、チャンネル部ＤＣに設けられた孔３２に対し嵌め込まれて係止される規制突起３１が設けられている。規制突起３１には、型成形部５を構成する素材よりも硬質の素材よりなるインサート部材３５が埋設されている。規制突起３１の外周面はチャンネル部ＤＣへの取付方向において段差のない滑らかな平面又は曲面として構成されている、また、型成形部５の長手方向に対して直交する方向における規制突起３１の横幅は、基底部１４との境界部である付根部から突出方向先端側に向けて次第に狭くなっている。【選択図】      図４
2008239105.tif 000002
【特許請求の範囲】
【請求項１】
基底部及び該基底部から延びる車内側側壁部及び車外側側壁部よりなる断面略コ字状をなす本体部と、前記車内側側壁部及び前記車外側側壁部の略先端から前記本体部内側に延びる車内側シールリップ及び車外側シールリップとを備え、
前記本体部が車両のドアフレームの内周に沿って設けられた取付部の内側に取着されるとともに、少なくともコーナー部に相当する部位が型成形部により構成されてなるガラスランであって、
前記型成形部の前記基底部の外側面から前記取付部側に突出し、前記取付部への取付状態において、前記取付部に設けられた孔又は凹部に対し嵌め込まれて係止される規制突起を備え、
前記規制突起には、前記型成形部を構成する素材よりも硬質の素材よりなるインサート部材が埋設され、
前記規制突起の外周面が前記取付部への取付方向において段差のない滑らかな平面又は曲面として構成されるとともに、
前記型成形部の長手方向に対して直交する方向における前記規制突起の横幅が、前記基底部との境界部である付根部から突出方向先端側に向けて次第に狭くなっていることを特徴とするガラスラン。
【請求項２】
前記規制突起は、前記型成形部の成形に際し、板状のインサート本体と、当該インサート本体から突出する突起ベースとを具備するインサート部材を、前記突起ベースが前記基底部の外側面から前記取付部側に突出するとともに、前記インサート本体の前記取付部側の面、及び、前記突起ベースのうち少なくともその周壁部が、前記型成形部を構成する素材よりなる被覆部で覆われるようにしてインサート成形することにより設けられ、
前記突起ベースは、前記型成形部の長手方向に対して直交する方向における横幅が突出方向先端側に向けて次第に狭くなっており、前記突起ベースを覆う前記被覆部の肉厚はほぼ均一であることを特徴とする請求項１に記載のガラスラン。
【請求項３】
前記規制突起の外周面のうち、ドアガラスの閉時に前記取付部の孔又は凹部の縁部へ当接し得る部位が、前記基底部の外側面に対してほぼ直交して延びることを特徴とする請求項１又は２に記載のガラスラン。
【請求項４】
少なくとも前記ドアフレームの上辺部は、アウターパネルと、インナーパネルと、前記アウターパネル及び前記インナーパネルの端部を重ね合わせることで形成したフランジ部に取付けられる光輝金属製又は樹脂製のモール部材とを備え、
前記取付部は、前記インナーパネルと前記モール部材とによって断面略コ字状に形成されることを特徴とする請求項１乃至３のいずれか１項に記載のガラスラン。
【発明の詳細な説明】
【技術分野】
【０００１】
本発明は、ガラスランに関するものである。
【背景技術】
【０００２】
一般に、自動車用ドアのガラス開口部周縁にはガラスランが設けられている。ガラスランは、ほぼ直線状（長尺状）に成形された押出成形部と、押出成形部同士を所定の角度をなした状態で接続する型成形部とから構成されており、例えばガラス開口部の形状に沿って前縦辺部、上辺部及び後縦辺部からなる。また、ガラスランは、その断面方向から見ると、基底部及び該基底部からガラス開口部内周方向に延びる車内側側壁部及び車外側側壁部よりなる略コ字状の本体部と、前記両側壁部の略先端から本体部内側に延びる車内側シールリップ及び車外側シールリップとを有する。上記ガラスランは、本体部がガラス開口部に沿って設けられた取付部（チャンネル部）の内周に取着され、ドアガラスの車内側及び車外側が前記一対のシールリップによりシールされる。
【０００３】
尚、ガラスランを構成する素材としては、エチレン−α−オレフィン非共役ジエン共重合体（ＥＰＤＭ）や、オレフィン系熱可塑性エラストマー（ＴＰＯ）等が知られている。
【０００４】
ところで、ドアガラスの開閉応力が、ガラスランの傾斜辺部位に作用することがある。例えば、ガラスランの上辺部が後方に向けて上方傾斜している場合、ドアガラスを閉じきった際に、ガラスランには上方への応力が作用するとともに、後方への分力が発生する。この場合、ガラスランがその長手方向にずれ移動してしまうことが懸念される。
【０００５】
これに対し、ガラスランのコーナー部等に移動防止用の突起を設け、当該突起を取付部側に設けられた被当接部に当接させることでガラスランのずれ移動を規制するといった技術がある（例えば、特許文献１参照）。
【特許文献１】特開２００５−９６７３６号公報
【発明の開示】
【発明が解決しようとする課題】
【０００６】
ところで、ガラスランの取付状態において突起と被当接部との間に大きな隙間が形成される場合には、ガラスランのずれ移動を防止するといった作用効果が十分に奏されないおそれがある。さらに、突起が硬質の素材よりなる場合には、上記隙間が少しでもあると、突起が被当接部に衝突することに起因して異音が発生してしまうおそれがある。
【０００７】
従って、上記隙間を極力なくすことが望ましいのではあるが、隙間がなくなってしまうと、突起を含め、ガラスランの取付けに支障が生じ、取付作業性の低下を招くおそれがある。
【０００８】
本発明は上記事情に鑑みてなされたものであり、その目的は、ドアガラス開閉時の応力に起因するずれ移動を防止するとともに、取付作業性の低下を抑制することのできるガラスランを提供することにある。
【課題を解決するための手段】
【０００９】
以下、上記目的等を解決するのに適した各手段につき項分けして説明する。なお、必要に応じて対応する手段に特有の作用効果等を付記する。
【００１０】
手段１．基底部及び該基底部から延びる車内側側壁部及び車外側側壁部よりなる断面略コ字状をなす本体部と、前記車内側側壁部及び前記車外側側壁部の略先端から前記本体部内側に延びる車内側シールリップ及び車外側シールリップとを備え、
前記本体部が車両のドアフレームの内周に沿って設けられた取付部の内側に取着されるとともに、少なくともコーナー部に相当する部位が型成形部により構成されてなるガラスランであって、
前記型成形部の前記基底部の外側面から前記取付部側に突出し、前記取付部への取付状態において、前記取付部に設けられた孔又は凹部に対し嵌め込まれて係止される規制突起を備え、
前記規制突起には、前記型成形部を構成する素材よりも硬質の素材よりなるインサート部材が埋設され、
前記規制突起の外周面が前記取付部への取付方向において段差のない滑らかな平面又は曲面として構成されるとともに、
前記型成形部の長手方向に対して直交する方向における前記規制突起の横幅が、前記基底部との境界部である付根部から突出方向先端側に向けて次第に狭くなっていることを特徴とするガラスラン。
【００１１】
手段１によれば、ガラスランの取付部への取付状態においては、型成形部の基底部に設けられた規制突起が、取付部に形成された孔又は凹部に嵌り込んで係止されるため、ドアガラスの開閉に際してガラスランに応力がかかったとしても、ガラスランのずれ移動を規制することができる。特に、規制突起の内部には、型成形部を構成する素材よりも硬質の素材よりなるインサート部材が埋設されているため、ガラスランのずれ移動をより確実に規制することができる。
【００１２】
さて、本手段１では、型成形部（ガラスラン）の長手方向に対して直交する方向における規制突起の横幅が突出方向先端側に向けて次第に狭くなっている。このため、ガラスランの取付けに際し規制突起を取付部の孔又は凹部に対し嵌め込みやすくなる。しかも、規制突起の外周面は、取付部への取付方向において段差のない滑らかな平面又は曲面として構成されることから、取付部の孔又は凹部に対して規制突起を奥まで（挿入されるべきところまで）スムースに嵌め込むことができる。結果として、ガラスランの取付作業性を向上させることができる。
【００１３】
尚、「前記型成形部の長手方向に沿って切断したときの断面形状が略長方形状をなす」こととしてもよいし、「前記型成形部の長手方向に対して直交する方向に切断したときの断面形状が、先端部に向けて次第に幅狭となる略台形状をなすこと」としてもよい。また、規制突起と取付部に形成される孔又は凹部とは、形状が正確に合致していなくてもよく、例えば、規制突起がガラスランの長手方向に沿って若干変位した後に孔や凹部の縁部と当接するような構成であってもよい。
【００１４】
手段２．前記規制突起は、前記型成形部の成形に際し、板状のインサート本体と、当該インサート本体から突出する突起ベースとを具備するインサート部材を、前記突起ベースが前記基底部の外側面から前記取付部側に突出するとともに、前記インサート本体の前記取付部側の面、及び、前記突起ベースのうち少なくともその周壁部が、前記型成形部を構成する素材よりなる被覆部で覆われるようにしてインサート成形することにより設けられ、
前記突起ベースは、前記型成形部の長手方向に対して直交する方向における横幅が突出方向先端側に向けて次第に狭くなっており、前記突起ベースを覆う前記被覆部の肉厚はほぼ均一であることを特徴とする手段１に記載のガラスラン。
【００１５】
手段２によれば、上記手段１に記載の作用効果を損なうことなく、規制突起の剛性を効率的に高めることができる。従って、ガラスランのずれ移動をより確実に規制することができるといった作用効果が一層確実に奏される。
【００１６】
尚、規制突起の外周面、すなわち、取付部の孔又は凹部に当接する部位には硬質な素材よりなるインサート部材が露出しないため、ガラスランのずれ移動が規制される際に、インサート部材と取付部とが衝突することに起因して、異音が発生してしまうといったおそれを防止することができる。
【００１７】
さらに、例えば、ガラスランの取付状態において、取付部に形成された孔又は凹部の周縁部と、規制突起との間の隙間がなくなるよう設計される場合には、製造誤差等により、ガラスランの取付に際して規制突起を取付部の孔又は凹部に対し嵌め込む作業が困難又は不可能になってしまうおそれがある。この点、本手段によれば、取付部の孔又は凹部に当接する部位にはインサート部材が露出しないことから、規制突起を取付部の孔又は凹部に対し嵌め込む際に、規制突起の表層部が追従的に形状変化し得る。このため、若干の製造誤差を許容することができ、上記不具合を抑止することができる。
手段３．前記規制突起の外周面のうち、ドアガラスの閉時に前記取付部の孔又は凹部の縁部へ当接し得る部位が、前記基底部の外側面に対してほぼ直交して延びることを特徴とする手段１又は２に記載のガラスラン。
【００１８】
手段３によれば、規制突起の外周面のうち、ドアガラスの閉時に取付部の孔又は凹部の縁部へ当接してガラスランの長手方向へのずれ移動を規制することとなる部位が、基底部の外側面（ガラスランの長手方向）に対してほぼ直交して延びている。従って、規制突起を取付部の孔又は凹部に確実に係止させることができる。
【００１９】
手段４．少なくとも前記ドアフレームの上辺部は、アウターパネルと、インナーパネルと、前記アウターパネル及び前記インナーパネルの端部を重ね合わせることで形成したフランジ部に取付けられる光輝金属製又は樹脂製のモール部材とを備え、
前記取付部は、前記インナーパネルと前記モール部材とによって断面略コ字状に形成されることを特徴とする手段１乃至３のいずれかに記載のガラスラン。
【００２０】
手段４におけるガラスランは、インナーパネル及びアウターパネルにモール部材が取付けられるタイプ（モール部材によってインナーパネル及びアウターパネルの端部が覆われるいわゆるヒドゥンタイプ）のドアフレームに取付けられるものである。この場合、フランジ部に孔又は凹部を形成して規制突起を嵌め込んで係止させるのではあるが、フランジ部の外周面側にモール部材が重ねられて取付けられるような部位に関しては、ドアフレームの外周側からフランジ部の孔又は凹部を視認することができない。従って、孔又は凹部に対して規制突起がしっかりと奥まで嵌り込んでいるかを目視することができなくなることが懸念される。
【００２１】
これに対し、上記のように規制突起は先端部に向けて幅が狭くなっており、しかも、その外周面が段差のない平面又は曲面となっているため、規制突起の先端部をフランジの孔又は凹部に挿入すれば、あとは可能な限り押込むことで確実に奥まで嵌め込むことができる。従って、上記のように孔又は凹部への規制突起の係止状態を確認できないような構成であっても、確実な取付けを行うことができる。
【００２２】
尚、「少なくとも前記ドアフレームの上辺部に関しては、前記フランジ部の外周面側において前記モール部材が折り曲げ形成されることにより、ドアと自動車ボディとの間のシールを行うウエザストリップを取付けるためのリテーナが形成されること」としてもよい。
【発明を実施するための最良の形態】
【００２３】
以下に、一実施形態について図面を参照しつつ説明する。図１はドアの概略構成を示す正面模式図である。図２はガラスランの上辺部を示す断面図である。
【００２４】
図１に示すように、自動車用ドア（図ではフロントドア、以下、単にドア６１と称する）には、ドアガラスＤＧの昇降を案内し、ドアガラスＤＧが上昇して窓部（ガラス開口部Ｗ）が閉じられたときにドアガラスＤＧの外周とドアフレーム６２との間をシールするガラスラン１が設けられている。
【００２５】
ガラスラン１は、その長手方向にみて上辺部に対応する押出成形部２、前後の縦辺部に対応する押出成形部３、４と、２つの押出成形部２、３及び押出成形部２、４の端部同士を接続する型成形部５、６（図１で散点模様を付した部分）とに区別される。各押出成形部２、３、４は、図示しない押出成形機によりほぼ直線状に（長尺状に）形成される。型成形部５、６は、２つの押出成形部２、３及び押出成形部２、４が所定の角度をなした状態で相互に接続されるように図示しない金型装置にて接続成形される。
【００２６】
図２に示すように、ドアフレーム６２の上辺部は、アウターパネル６４及びインナーパネル６５と、当該パネル６４、６５に取付けられたモール部材６６とを備えている。より詳しくは、アウターパネル６４及びインナーパネル６５の端部をそれぞれ車外側に折曲げ、両者を重ね合わせることで形成したフランジ部６７に対して、モール部材６６がリベット６８により取付固定されている。本実施形態では、インナーパネル６５とモール部材６６とによって取付部を構成する断面略コ字状の溝（以下、チャンネル部ＤＣと称する）が形成されている。そして、チャンネル部ＤＣの内側にガラスラン１が取付けられている。また、チャンネル部ＤＣは、ドアフレーム６２の内周に沿って形成されており、このチャンネル部ＤＣによってドアガラスＤＧが昇降して開閉されるガラス開口部Ｗ（図１参照）が区画される。
【００２７】
尚、モール部材６６は、光輝金属製又は樹脂製であって、フランジ部６７のガラス開口部Ｗ外周側の面（図２では上側の面）に重ねられて取付けられる固定部６６ａと、当該固定部６６ａの車外側において上下方向に延びる縦壁部６６ｂとを備えている。また、固定部６６ａの両端部がガラス開口部Ｗ外周側（図２では上側）に折り曲げ形成されることにより、ドア６１と自動車ボディ（図示略）との間をシールするウエザストリップ（図示略）を装着するための断面略Ｃ字状のリテーナ６６ｃが形成されている。
【００２８】
次に、ガラスラン１の上辺部（押出成形部２）の構成について説明する。押出成形部２は、チャンネル部ＤＣに嵌め込まれる基底部１４及び該基底部１４から延びる車外側側壁部１５及び車内側側壁部１６よりなる断面略コ字状の本体部１１と、車外側側壁部１５及び車内側側壁部１６の略先端からそれぞれ本体部１１の内側（基底部１４側）へ延びる車外側シールリップ１２及び車内側シールリップ１３とを備えている。そして、ドアガラスＤＧが閉じられた状態においては、車外側シールリップ１２がドアガラスＤＧの外側面に対して圧接され、車内側シールリップ１３がドアガラスＤＧの内側面に対して圧接される。これにより、ドアガラスＤＧの車外側及び車内側がそれぞれシールされるようになっている。尚、押出成形部３、４、及び型成形部５、６についても、本体部１１及び一対のシールリップ１２、１３等を備えている。また、本実施形態における本体部１１及びシールリップ１２，１３は、ＴＰＯ（オレフィン系熱可塑性エラストマー）により構成されている。
【００２９】
また、基底部１４の外側面（図２の上側の面）には、車外側側壁部１５及び車内側側壁部１６との連接部近傍において外方へ延出した補助リップ１７、１８が形成されている。そして、ガラスラン１の取付状態において、これら補助リップ１７、１８がフランジ部６７に弾接し、車内への水や騒音の浸入が防止される。
【００３０】
さらに、車外側側壁部１５及び車内側側壁部１６の付根部（基底部１４との境界部近傍）には、外方へ延出した係止リップ１９、２０が形成されている。そして、ガラスラン１の取付状態において、車外側の係止リップ１９は、モール部材６６の縦壁部６６ｂの下端部をチャンネル部ＤＣの内側に折曲げることで形成された支持部６６ｄに係止される。一方、車内側の係止リップ２０は、インナーパネル６５に形成された傾斜部６５ａに係止される。また、車内側側壁部１６の先端部近傍には保持リップ２１が外方に延出形成されている。そして、ガラスラン１の取付状態において、保持リップ２１は、インナーパネル６５に形成された段差部６５ｂに係止される。これらの構成により、ガラスラン１の本体部１１がチャンネル部ＤＣの内側に保持される。
【００３１】
また、車外側シールリップ１２及び車内側シールリップ１３のドアガラスＤＧとの接触面、及び、基底部１４の内側面には、ドアガラスＤＧとの摺動性の向上を図るべく、厚さ０．１ｍｍ程度の摺動層が形成されている。さらに、車外側側壁部１５及び車内側側壁部１６の内面のうち少なくとも車外側シールリップ１２、車内側シールリップ１３の先端部が接触し得る部位において、本体部１１の長手方向に沿って延びる複数本の密着防止突条部２３、２４が設けられている。密着防止突条部２３、２４は、それぞれ断面略三角形をなし、押出成形に際し車外側側壁部１５及び車内側側壁部１６と同時形成される。密着防止突条部２３、２４を設けることにより、シールリップ１２、１３と側壁部１５、１６とが面で当接する場合に比べて、シールリップ１２、１３と側壁部１５、１６との接触面積の総和を小さくすることができる。結果として、シールリップ１２、１３と側壁部１５、１６とが密着した状態から離間する際に発生するおそれのある異音（剥離音）を確実に抑制することができる。
【００３２】
尚、本実施形態では、チャンネル部ＤＣ（ドアフレーム６２）のうち、ドアガラスＤＧの上縁部に対応する部位（傾斜辺）が、後方に向けて若干上方傾斜している。このため、当該傾斜辺に対応する押出成形部２、及び型成形部５、６の上辺部もまた、ドアガラスＤＧの開閉方向に対して傾斜して取付けられることとなる。また、車外側側壁部１５は、車内側側壁部１６に比べて比較的短く形成されるとともに、それに付随して車外側シールリップ１２も車内側シールリップ１３に比べて比較的小さく（短く）設定されている。これにより、モール部材６６の車外側側面（縦壁部６６ｂ）を小さく設定でき、見栄えが向上するとともに、ドアガラスＤＧが車外側に寄せられ、フラッシュサーフィス化が図られるようになっている。
【００３３】
さて、図３、図４に示すように、前側の型成形部５は、上辺部からチャンネル部ＤＣ側（嵌込方向）に突出する規制突起３１を備えている。そして、ガラスラン１の取付状態にあっては、図４に示すように、規制突起３１がチャンネル部ＤＣのフランジ部６７に形成された孔３２に嵌め込まれて係止される。
【００３４】
より詳しく説明すると、型成形部５には、ＴＰＯよりも硬質のポリプロピレン（ＰＰ）によりなるインサート部材３５が埋設されている。インサート部材３５は、板状のインサート本体３６と、該インサート本体３６に一体形成され、インサート本体３６から突出する突起ベース３７とを備えている。そして、型成形部５の成形に際し、インサート部材３５を、突起ベース３７が基底部１４の外側面からチャンネル部ＤＣ側に突出するとともに、インサート本体３６のチャンネル部ＤＣ側の面（図４では上面）、及び、突起ベース３７の表面が、型成形部５を構成するＴＰＯよりなる被覆部３８で覆われるようにしてインサート成形することにより、基底部１４の外側面から突出する規制突起３１が設けられている。尚、型成形部５の型成形に際して、インサート部材３５を抑えるための押えピンが、インサート本体３６のチャンネル部ＤＣ側の面の一部に当接するため、インサート本体３６のチャンネル部ＤＣ側の面であっても、押えピンに当接する部位については被覆部３８が形成されておらず露出状態とされる。
【００３５】
また、突起ベース３７を覆う被覆部３８の肉厚はほぼ均一となっている。従って、被覆部３８の表面形状、すなわち規制突起３１の外形状は、突起ベース３７の外形状と略相似形状となる。本実施形態では、突起ベース３７は、型成形部５の長手方向に対して直交する方向に切断したときの断面形状が、先端部に向けて次第に幅狭となる略台形状をなし、型成形部５の長手方向に沿って切断したときの断面形状が略長方形状をなしている。
【００３６】
従って、本実施形態の規制突起３１もまた、型成形部５の長手方向に対して直交する方向に切断したときの断面形状が、先端部に向けて次第に幅狭となる略台形状をなし、型成形部５の長手方向に沿って切断したときの断面形状が略長方形状をなしている。
【００３７】
加えて、規制突起３１の外周面はチャンネル部ＤＣへの取付方向において段差のない滑らかな平面又は曲面として構成されている。より詳しくは、規制突起３１は、基底部１４の外側面と平行に切った断面が略長円形をなしており、規制突起３１の車外側の面及び車内側の面は、車内外方向に対して傾斜する平面として構成され、規制突起３１の前側面及び後側面は、基底部１４の外側面（ガラスラン１の長手方向）に対して直交して延びる湾曲面として構成されている。
【００３８】
尚、インサート本体３６は、そのガラス開口部Ｗの内周側の面（下面）において型成形部５の型成形に際して位置決めを行うための位置決め用凹部３９を有している。また、インサート本体３６の下面は、型成形に際して金型と当接するため大部分が露出状態とされるのであるが、インサート本体３６の下面の周縁部に沿って形成された段差部４０は、型成形部５を構成する素材（ＴＰＯ）で覆われる。これにより、型成形部５からインサート部材３５が剥離してしまうといったおそれを抑止することができる。
【００３９】
また、本実施形態では、押出成形部２の基底部１４の内側面が、型成形部５の基底部１４の内側面よりもガラス開口部Ｗの内周側に位置している。このため、ドアガラスＤＧは型成形部５の基底部１４に当接する前に先ず押出成形部２の基底部１４に当接することとなる。従って、ドアガラスＤＧを閉めきる際に、露出状態となっているインサート本体３６の下面にドアガラスＤＧが当接する場合であっても、当接時の衝撃を和らげることができ、結果として、異音の発生を抑制することができる。
【００４０】
以上詳述したように、本実施形態によれば、ガラスラン１のチャンネル部ＤＣへの取付状態においては、型成形部５の基底部１４に設けられた規制突起３１が、チャンネル部ＤＣに形成された孔３２に嵌り込んで係止されるため、ドアガラスＤＧの開閉に際してガラスラン１に応力がかかったとしても、ガラスラン１のずれ移動を規制することができる。特に、規制突起３１の内部には、型成形部５を構成する素材よりも硬質の素材よりなるインサート部材３５が埋設されているため、ガラスラン１のずれ移動をより確実に規制することができる。
【００４１】
さて、本実施形態では、型成形部５（ガラスラン１）の長手方向に対して直交する方向における規制突起３１の横幅が突出方向先端側に向けて次第に狭くなっている。このため、ガラスラン１の取付けに際し規制突起３１をチャンネル部ＤＣの孔３２に対し嵌め込みやすくなる。しかも、規制突起３１の外周面は、チャンネル部ＤＣへの取付方向において段差のない滑らかな平面又は湾曲面として構成されることから、チャンネル部ＤＣの孔３２に対して規制突起３１を挿入可能に設定されているところまで（挿入されるべきところまで）スムースに嵌め込むことができる。結果として、ガラスラン１の取付作業性を向上させることができる。
【００４２】
また、規制突起３１は、型成形部５の長手方向に沿って切断したときの断面形状が略長方形状をなしている。つまり、規制突起３１の外周面のうち、チャンネル部ＤＣ（孔３２の周縁部）と当接してガラスラン１の長手方向へのずれ移動を規制することとなる部位が、ガラスラン１の長手方向に対してほぼ直交して延びている。従って、規制突起３１をチャンネル部ＤＣの孔３２に確実に係止させることができる。
【００４３】
また、規制突起３１の表面にはＰＰよりなるインサート部材３５が露出しないため、ガラスラン１のずれ移動が規制される際に、インサート部材３５とチャンネル部ＤＣとが衝突することに起因して、異音が発生してしまうといったおそれを防止することができる。
【００４４】
さらに、例えば、ガラスラン１の取付状態において、チャンネル部ＤＣに形成された孔３２の周縁部と、規制突起３１との間の隙間がなくなるよう設計される場合には、製造誤差等により、ガラスラン１の取付に際して規制突起３１をチャンネル部ＤＣの孔３２に対し嵌め込む作業が困難又は不可能になってしまうおそれがある。この点、本実施形態では、インサート部材３５が被覆部３８で覆われていることから、規制突起３１をチャンネル部ＤＣの孔３２に対し嵌め込む際に、規制突起３１の表層部が追従的に形状変化し得る。このため、若干の製造誤差を許容することができ、上記不具合を抑止することができる。
【００４５】
また、本実施形態におけるガラスラン１は、アウターパネル６４及びインナーパネル６５にモール部材６６が取付けられるタイプ（モール部材６６によってアウターパネル６４及びインナーパネル６５の端部が覆われるいわゆるヒドゥンタイプ）のドアフレーム６２に取付けられるものである。つまり、フランジ部６７に孔３２を形成して規制突起３１を嵌め込んで係止させるのではあるが、少なくともドアフレーム６２の上辺部に関しては、フランジ部６７の外周面側にモール部材６６（固定部６６ａ）が重ねられて取付けられるため、ドアフレーム６２の外周側からフランジ部６７の孔３２を視認することができない。従って、孔３２に対して規制突起３１がしっかりと奥まで嵌り込んでいるかを目視することができなくなる。
【００４６】
これに対し、上記のように規制突起３１は先端部に向けて幅が狭くなっており、しかも、その外周面が段差のない平面又は湾曲面となっているため、規制突起３１の先端部をフランジ６７の孔３２に挿入すれば、あとは可能な限り押込むことで確実に奥まで嵌め込むことができる。従って、孔３２への規制突起３１の係止状態を確認できないような構成であっても、確実な取付けを行うことができる。
【００４７】
加えて、本実施形態では、インサート部材３５は、型成形部５と相溶性のある素材により構成されていることから、型成形部５からインサート部材３５が剥離したり、脱落したりしてしまうといった事態が起こりにくい。
【００４８】
尚、上記実施形態の記載内容に限定されず、例えば次のように実施してもよい。勿論、以下において例示しない他の応用例、変更例も当然可能である。
【００４９】
（ａ）上記実施形態では、前側の型成形部５の上辺部に規制突起３１を設けることとしているが、例えば、後側の型成形部６の縦辺部に規制突起３１を設けてもよいし、型成形部５、６の上辺部及び縦辺部の２箇所に規制突起３１を設けてもよい。さらに、規制突起をＬ字状に構成し、孔３２の端縁に引っ掛けて係止させてもよい。また、本実施形態では、フロントドアの型成形部５に関して特に詳しく説明しているが、リアドアの型成形部（例えば後側の型成形部）等においても、同様に規制突起３１を設けてもよい。
【００５０】
（ｂ）上記実施形態では、突起ベース３７の表面（全表面）が被覆部３８で覆われているが、特にこのような構成に限定されるものではなく、少なくともチャンネル部ＤＣに当接する部位が被覆部２４で覆われていればよい。
【００５１】
（ｃ）上記実施形態における突起ベース３７や規制突起３１の形状は特に限定されるものではないが、規制突起３１の外周面にはチャンネル部ＤＣへの取付方向において段差がなく、規制突起３１の横幅が先端側に向けて次第に幅狭となっている必要がある。尚、突起ベース３７の形状については、上記のような規制突起３１と略相似形状に形成されることが望ましく、この場合、規制突起３１の剛性を効率的に高めることができ、ガラスラン１のずれ移動をより確実に規制することができるといった作用効果が一層確実に奏される。
【００５２】
また、上記実施形態では、規制突起３１がチャンネル部ＤＣに形成された孔３２に嵌め込まれることで係止される構成となっているが、例えば、チャンネル部ＤＣに凹部を形成しておき、規制突起３１が当該凹部に嵌め込まれることで係止される構成としてもよい。さらに、補助リップ１７、１８を省略し、孔３２に対して規制突起３１が付根部又は付根部付近まで嵌め込まれて係止される構成としてもよい。加えて、インサート本体３６に孔開け加工を施し、インサート部材３５の埋設状態の安定化を図ってもよい。
【００５３】
（ｄ）上記実施形態では、ガラスラン１をＴＰＯにより構成しているが、ＥＰＤＭ等の別の素材により構成してもよい。また、インサート部材３５についても、高密度ポリエチレン等の他のオレフィン系ポリマーを採用してもよいし、ポリエステル、ポリアミド等の他の樹脂材料を採用してもよいし、金属素材を採用してもよい。要するに、インサート部材３５が型成形部５よりも硬質の素材で構成されていればよい。但し、型成形部５及びインサート部材３５は互いに相溶性のある素材により構成されるのが望ましい。
【００５４】
（ｅ）上記実施形態では特に言及していないが、規制突起３１とチャンネル部ＤＣに形成される孔３２とは、形状が正確に合致していなくてもよく、例えば、規制突起３１がガラスラン１の長手方向に沿って若干変位した後に孔３２の縁部と当接するような構成であってもよい。尚、規制突起３１を上記実施形態のような形状とすることで、孔３２の大きさを極力小さくしても、比較的スムースに規制突起３１を嵌め込んで係止させることができる。
【００５５】
（ｆ）上記実施形態では、インナーパネル６５とモール部材６６とでチャンネル部ＤＣが構成されるヒドゥンタイプのドアに取付けられるガラスラン１に対して規制突起３１を設けているが、例えば、モール部材６６がなく、インナーパネル６５やアウターパネル６６が外部から視認されるようなタイプのドアに取付けられるガラスランに対して規制突起を設けることとしてもよい。
【図面の簡単な説明】
【００５６】
【図１】ドアの概略構成を示す正面模式図である。
【図２】押出成形部の構成を示す断面図である。
【図３】型成形部等の構成を示す部分斜視図である。
【図４】型成形部の構成を示す断面図である。
【符号の説明】
【００５７】
１…ガラスラン、２，３，４…押出成形部、５，６…型成形部、１１…本体部、１２…車外側シールリップ、１３…車内側シールリップ、１４…基底部、１５…車外側側壁部、１６…車内側側壁部、３１…規制突起、３２…孔、３５…インサート部材、３６…インサート本体、３７…突起ベース、３８…被覆部、６１…ドア、６２…ドアフレーム、ＤＣ…チャンネル部、ＤＧ…ドアガラス、Ｗ…ガラス開口部。
【図１】
2008239105.tif 000003
【図２】
2008239105.tif 000004
【図３】
2008239105.tif 000005
【図４】
2008239105.tif 000006